(57)【要約】【課題】コネクタの形状やワイヤハーネスの径にかかわりなくコネクタの首下部を確実に保護する。【解決手段】ワイヤハーネス１０に接続されるコネクタ１１の首下部１２に、シート状の保護材１４を巻き付けて、コネクタ１１の空きキャビティ１１ａに、空きキャビティ１１ａに設けた端子用のロック部１１ｂが係止可能な溝２を有する固定バー１を差し込んで連結し、固定バー１をワイヤハーネス１０に沿ってコネクタ１１から突出させて、保護材１４と固定バー１の小径部３とに跨がってテープ巻きした。【選択図】図３
2015191720.tif 000002
【特許請求の範囲】
【請求項１】
ワイヤハーネスに接続されるコネクタのキャビティに差し込み可能な棒状体で、差し込み側の端部に、前記キャビティに設けた端子用のロック部が係止可能な被係止部を有してなり、前記キャビティへの差し込み状態で、前記ワイヤハーネスに沿って前記コネクタからの突出状態で前記コネクタに連結されることを特徴とするコネクタの首下部保護用具。
【請求項２】
前記被係止部は、周方向の全周に亘って形成される溝であることを特徴とする請求項１に記載のコネクタの首下部保護用具。
【請求項３】
前記コネクタからの突出側に、前記ワイヤハーネスごとテープ巻きするための小径部を端部を除いて形成したことを特徴とする請求項１又は２に記載のコネクタの首下部保護用具。
【請求項４】
前記コネクタからの突出端部に、前記コネクタの首下部に巻回した保護材に係止可能なフックを形成したことを特徴とする請求項１又は２に記載のコネクタの首下部保護用具。
【請求項５】
前記コネクタからの突出側に、前記コネクタの首下部に巻回可能な保護材を一体に固定したことを特徴とする請求項１又は２に記載のコネクタの首下部保護用具。
【請求項６】
ワイヤハーネスに接続されるコネクタの首下部に、シート状の保護材を巻き付けて、前記コネクタの空きキャビティに、請求項１乃至３の何れかに記載のコネクタの首下部保護用具の端部を差し込んで連結し、前記コネクタの首下部保護用具を前記ワイヤハーネスに沿って前記コネクタから突出させて、前記保護材と前記コネクタの首下部保護用具とに跨がってテープ巻きしたことを特徴とするコネクタ首下部の保護構造。
【請求項７】
ワイヤハーネスに接続されるコネクタの首下部に、シート状の保護材を巻き付けて、前記コネクタの空きキャビティに、請求項４に記載のコネクタの首下部保護用具の端部を差し込んで連結すると共に、前記コネクタの首下部保護用具のフックを前記保護材の端部に係止させたことを特徴とするコネクタ首下部の保護構造。
【請求項８】
ワイヤハーネスに接続されるコネクタの空きキャビティに、請求項５に記載のコネクタの首下部保護用具の端部を差し込んで連結し、保護材を前記コネクタの首下部に巻き付けたことを特徴とするコネクタ首下部の保護構造。
【請求項９】
ワイヤハーネスに接続されるコネクタの首下部に、シート状の保護材を巻き付けて、前記コネクタの空きキャビティに、請求項１乃至３の何れかに記載のコネクタの首下部保護用具の端部を差し込んで連結し、前記コネクタの首下部保護用具を前記ワイヤハーネスに沿って前記コネクタから突出させて、前記保護材と前記コネクタの首下部保護用具とに跨がってテープ巻きすることを特徴とするコネクタ首下部の保護方法。
【請求項１０】
ワイヤハーネスに接続されるコネクタの首下部に、シート状の保護材を巻き付けて、前記コネクタの空きキャビティに、請求項４に記載のコネクタの首下部保護用具の端部を差し込んで連結すると共に、前記コネクタの首下部保護用具のフックを前記保護材の端部に係止させることを特徴とするコネクタ首下部の保護方法。
【請求項１１】
ワイヤハーネスに接続されるコネクタの空きキャビティに、請求項５に記載のコネクタの首下部保護用具の端部を差し込んで連結し、保護材を前記コネクタの首下部に巻き付けることを特徴とするコネクタ首下部の保護方法。
【発明の詳細な説明】
【技術分野】
【０００１】
本発明は、車両に配設されるワイヤハーネスにおいて、端末に接続されるコネクタの首下部（電線の根元）を保護するために用いられる首下部保護用具と、コネクタ首下部の保護構造及び保護方法とに関する。
【背景技術】
【０００２】
車両へのワイヤハーネスの端末にコネクタが接続される場合、コネクタの首下部でも電線が露出しないように保護する必要がある。外装材やテープを巻き付けるのが一般的であるが、コネクタの首下部の電線はワイヤハーネスからコネクタに向かって広がる拡径形状となるため、十分な保護が難しく、外装材等が外れるおそれもある。そこで、特許文献１に開示のように、コネクタの首下部の電線を覆う拡径状のカバーを採用する発明が知られている。
【先行技術文献】
【特許文献】
【０００３】
【特許文献１】特開２００２−１０１５２０号公報
【発明の概要】
【発明が解決しようとする課題】
【０００４】
しかし、カバーは、コネクタの形状やワイヤハーネスの径に合わせて形成されるため、コネクタの種類やワイヤハーネスの径が変わったりすると使用できなくなり、各タイプに合わせて複数用意する必要が生じて製造や管理のコストがかさむことになる。
【０００５】
そこで、本発明は、コネクタの形状やワイヤハーネスの径にかかわりなくコネクタの首下部を確実に保護することができる首下部保護用具と、コネクタ首下部の保護構造及び保護方法とを提供することを目的としたものである。
【課題を解決するための手段】
【０００６】
上記目的を達成するために、請求項１に記載の発明は、コネクタの首下部保護用具であって、ワイヤハーネスに接続されるコネクタのキャビティに差し込み可能な棒状体で、差し込み側の端部に、キャビティに設けた端子用のロック部が係止可能な被係止部を有してなり、キャビティへの差し込み状態で、ワイヤハーネスに沿ってコネクタからの突出状態でコネクタに連結されることを特徴とするものである。
請求項２に記載の発明は、請求項１の構成において、被係止部は、周方向の全周に亘って形成される溝であることを特徴とするものである。
請求項３に記載の発明は、請求項１又は２の構成において、コネクタからの突出側に、ワイヤハーネスごとテープ巻きするための小径部を端部を除いて形成したことを特徴とするものである。
請求項４に記載の発明は、請求項１又は２の構成において、コネクタからの突出端部に、コネクタの首下部に巻回した保護材に係止可能なフックを形成したことを特徴とするものである。
請求項５に記載の発明は、請求項１又は２の構成において、コネクタからの突出側に、コネクタの首下部に巻回可能な保護材を一体に固定したことを特徴とするものである。
上記目的を達成するために、請求項６に記載の発明は、コネクタ首下部の保護構造であって、ワイヤハーネスに接続されるコネクタの首下部に、シート状の保護材を巻き付けて、コネクタの空きキャビティに、請求項１乃至３の何れかに記載のコネクタの首下部保護用具の端部を差し込んで連結し、コネクタの首下部保護用具をワイヤハーネスに沿ってコネクタから突出させて、保護材とコネクタの首下部保護用具とに跨がってテープ巻きしたことを特徴とするものである。
上記目的を達成するために、請求項７に記載の発明は、コネクタ首下部の保護構造であって、ワイヤハーネスに接続されるコネクタの首下部に、シート状の保護材を巻き付けて、コネクタの空きキャビティに、請求項４に記載のコネクタの首下部保護用具の端部を差し込んで連結すると共に、コネクタの首下部保護用具のフックを保護材の端部に係止させたことを特徴とするものである。
上記目的を達成するために、請求項８に記載の発明は、コネクタ首下部の保護構造であって、ワイヤハーネスに接続されるコネクタの空きキャビティに、請求項５に記載のコネクタの首下部保護用具の端部を差し込んで連結し、保護材をコネクタの首下部に巻き付けたことを特徴とするものである。
上記目的を達成するために、請求項９に記載の発明は、コネクタ首下部の保護方法であって、ワイヤハーネスに接続されるコネクタの首下部に、シート状の保護材を巻き付けて、コネクタの空きキャビティに、請求項１乃至３の何れかに記載のコネクタの首下部保護用具の端部を差し込んで連結し、コネクタの首下部保護用具をワイヤハーネスに沿ってコネクタから突出させて、保護材とコネクタの首下部保護用具とに跨がってテープ巻きすることを特徴とするものである。
上記目的を達成するために、請求項１０に記載の発明は、コネクタ首下部の保護方法であって、ワイヤハーネスに接続されるコネクタの首下部に、シート状の保護材を巻き付けて、コネクタの空きキャビティに、請求項４に記載のコネクタの首下部保護用具の端部を差し込んで連結すると共に、コネクタの首下部保護用具のフックを保護材の端部に係止させることを特徴とするものである。
上記目的を達成するために、請求項１１に記載の発明は、コネクタ首下部の保護方法であって、ワイヤハーネスに接続されるコネクタの空きキャビティに、請求項５に記載のコネクタの首下部保護用具の端部を差し込んで連結し、保護材をコネクタの首下部に巻き付けることを特徴とするものである。
【発明の効果】
【０００７】
本発明によれば、コネクタの形状やワイヤハーネスの径にかかわりなくコネクタの首下部を確実に保護することができる。特に、従来の保護材をそのまま使用できる上、首下部保護用具はコネクタに挿入される端子の種類に応じたバリエーションだけ用意すれば足りるため、汎用性が高まり、製造や管理のコストも抑えられる。
【図面の簡単な説明】
【０００８】
【図１】形態１の固定バーの説明図である。
【図２】形態１の首下部保護方法の説明図で、（Ａ）が保護材のセット状態、（Ｂ）が保護材の巻回状態をそれぞれ示す。
【図３】形態１の首下部保護方法の説明図で、（Ａ）が固定バーの連結状態、（Ｂ）がテープ巻き状態をそれぞれ示す。
【図４】コネクタに固定バーを差し込んだ状態の説明図である。
【図５】形態２の固定バー及び首下部保護方法の説明図で、（Ａ）は固定バー、（Ｂ）は保護材の巻回状態、（Ｃ）はフックの係止状態をそれぞれ示す。
【図６】形態３の固定バー及び首下部保護方法の説明図で、（Ａ）は固定バー、（Ｂ）は固定バーの連結状態、（Ｃ）は保護材の巻回状態をそれぞれ示す。
【発明を実施するための形態】
【０００９】
以下、本発明の実施の形態を図面に基づいて説明する。
［形態１］
図１は、コネクタの首下部保護用具の一例である固定バーを示す説明図で、この固定バー１は、絶縁材料（例えばポリプロピレンやポリエチレン等の樹脂）により成形される横断面円形の棒状体で、一端部寄りの表面には、軸方向での幅が小さい被係止部としての溝２が全周に亘って形成されている。また、他端部側の略半分は、端部４を除いて径の小さい小径部３となっている。端部４は、一端部側よりも一回り径が大きくなっている。
【００１０】
この固定バー１を用いてワイヤハーネスに接続されるコネクタの首下部を保護する方法を、図２，３に基づいて説明する。図２，３において、１０はテープ巻き等で外周が保護されたワイヤハーネス、１１はコネクタ、１２は、ワイヤハーネス１０からコネクタ１１のキャビティに差し込み接続される電線１３，１３・・が露出する首下部である。
まず図２（Ａ）に示すように、首下部１２よりも短手寸法が大きく、片面に粘着部を有する矩形シート状の保護材１４を、一方の長手辺がコネクタ１１の端面に位置する状態で巻き付ける。すると、同図（Ｂ）に示すように、首下部１２からワイヤハーネス１０にかけて保護材１４で覆われる。
【００１１】
次に、図１の固定バー１を、溝２側の端部を先にして、コネクタ１１において保護材１４に隣接する空きキャビティ１１ａに差し込む。すると、図４に示すように、固定バー１の溝２に、空きキャビティ１１ａ内に設けられた端子の抜け止め用のロック部１１ｂが係止するため、固定バー１はコネクタ１１に抜け止め状態で連結され、図３（Ａ）に示すように保護材１４に隣接した位置でワイヤハーネス１０に沿ってコネクタ１１から突出する。この溝２は固定バー１の全周に亘って設けられているので、固定バー１に方向性はなく、空きキャビティ１１ａへの差し込みによって確実にロックされる。
【００１２】
そして、同図（Ｂ）に示すように、固定バー１の小径部３と保護材１４とに跨がってテープ１５を巻き付けると、保護材１４は固定バー１と一体化される。すなわち、保護材１４は、コネクタ１１に連結される固定バー１にテープ１５によって固定されるため、保護材１４がずれるおそれがなくなる。ここでは保護材１４及びテープ１５の端部は、小径部３に隣接する端部４に係止するため、保護材１４に加えてテープ１５のずれも効果的に防止される。
【００１３】
このように、上記形態１の固定バー１、コネクタ首下部の保護構造及び保護方法によれば、コネクタ１１の形状やワイヤハーネス１０の径にかかわりなくコネクタ１１の首下部１２を確実に保護することができる。特に、従来の保護材１４をそのまま使用できる上、固定バー１はコネクタ１１に挿入される端子の種類に応じたバリエーションだけ用意すれば足りるため、汎用性が高まり、製造や管理のコストも抑えられる。
【００１４】
なお、形態１において、固定バーは、被係止部を溝でなく凹部や透孔とすることもできる。テープの固定代も、小径部に代えて面取部等とすることも可能である。
また、横断面円形に限らず、キャビティの形状に合わせて横断面四角形や正方形とすることもできるし、コネクタへの差し込み部分を除く突出側をワイヤハーネスの側面に沿った横断面円弧状とすることもできる。
さらに、コネクタの空きキャビティの数によっては固定バーを１本でなく複数本用いて、ワイヤハーネスの周囲に突出させた複数の固定バーごとワイヤハーネスをテープ巻きすることも可能である。
【００１５】
次に、本発明の他の形態を説明する。但し、上記形態１と同じ構成部には同じ符号を付して重複する説明は省略する。
［形態２］
図５（Ａ）に示す固定バー１Ａは、一端部に溝２を備えた横断面円形の棒状体であるのは形態１と同様であるが、他端部に折り返し形成されたフック５を備える点が異なっている。
この固定バー１Ａを用いてコネクタ１１の首下部１２を保護する場合、同図（Ｂ）に示すように、首下部１２に保護材１４を巻き付けた状態で、コネクタ１１の空きキャビティ１１ａに固定バー１Ａの一端部を差し込んでロック部１１ｂに溝２を係止させると共に、フック５を保護材１４の端部に係止させる。すると、同図（Ｃ）に示すように、保護材１４は、コネクタ１１に連結される固定バー１Ａに係止されることで、ずれるおそれがなくなる。
【００１６】
このように、上記形態２の固定バー１Ａ、コネクタ首下部の保護構造及び保護方法においても、コネクタ１１の形状やワイヤハーネス１０の径にかかわりなくコネクタ１１の首下部１２を確実に保護することができる。特に、従来の保護材１４をそのまま使用できる上、固定バー１Ａはコネクタ１１に挿入される端子の種類に応じたバリエーションだけ用意すれば足りるため、汎用性が高まり、製造や管理のコストも抑えられる。
【００１７】
なお、形態２においても、固定バーの被係止部は、溝でなく凹部や透孔とすることができるし、横断面形状も適宜変更可能である。
また、固定バーを複数本用いてワイヤハーネスごとテープ巻きすることもできる。
【００１８】
［形態３］
図６（Ａ）に示す固定バー１Ｂは、一端部に被係止部となる凹部６を備えた横断面四角形状の棒状体で、上面に粘着部を備えた保護材１４の長手方向の中央に、溶着等によって他端部側が連結されて保護材１４と一体化されている。
この固定バー１Ｂを、同図（Ｂ）に示すように、コネクタ１１の空きキャビティ１１ａに一端部を差し込んでロック部１１ｂに凹部６を係止させて、保護材１４を固定バー１Ｂごと首下部１２に巻き付ける。すると、同図（Ｃ）に示すように、保護材１４は、一体化した固定バー１Ｂがコネクタ１１に連結されることで、ずれるおそれがなくなる。
【００１９】
このように、上記形態３の固定バー１Ｂ、コネクタ首下部の保護構造及び保護方法においても、コネクタ１１の形状やワイヤハーネス１０の径にかかわりなくコネクタ１１の首下部１２を確実に保護することができる。特に、従来の保護材１４をそのまま使用できる上、固定バー１Ｂはコネクタ１１に挿入される端子の種類に応じたバリエーションだけ用意すれば足りるため、汎用性が高まり、製造や管理のコストも抑えられる。
【００２０】
なお、形態３において、被係止部は凹部に限らず、形態１，２のような溝としたり透孔としたりすることができる。横断面形状も適宜変更可能である。
また、固定バーと保護材との結合も、溶着以外に、接着剤を用いたり、保護材の粘着部を利用したり等、結合手段は上記形態に限定されない。
【符号の説明】
【００２１】
１，１Ａ，１Ｂ・・固定バー、２・・溝、３・・小径部、４・・端部、５・・フック、６・・凹部、１０・・ワイヤハーネス、１１・・コネクタ、１１ａ・・空きキャビティ、１１ｂ・・ロック部、１２・・首下部、１３・・電線、１４・・保護材、１５・・テープ。
【図１】
2015191720.tif 000003
【図２】
2015191720.tif 000004
【図３】
2015191720.tif 000005
【図４】
2015191720.tif 000006
【図５】
2015191720.tif 000007
【図６】
2015191720.tif 000008